(57)【要約】【課題】ＥＭＩノイズを低減するとともに装置の薄型化を図ることが可能な画像読取装置を提供すること。【解決手段】スキャナ部（画像読取装置）１０１は，第１走査ユニット３１０と，第２走査ユニット３２０と，センサ部３３０とを有している。センサ部３３０は，原稿面からの反射光を結像するレンズ部３３１と，レンズ部３３１からの光を受光するラインセンサ３３２と，ラインセンサ３３２を実装する基板３３３とを有し，筺体３６０の外側に位置している。また，スキャナ部１０１は，反射光の光路中，第２折り返しミラー３２１とレンズ部３３１との間に，第４折り返しミラー３５０を有している。第４折り返しミラー３５０は，第２走査ユニット３２０の走査方向に導かれる反射光を，上面から見てその走査方向に対して略直交方向に折り返すためのものである。【選択図】            図３
2006201275.tif 000002
【特許請求の範囲】
【請求項１】
光源からの光を原稿面に照射し，その反射光を電気信号に変換して原稿の画像情報を読み取る画像読取装置において，
原稿面を照明する照明手段および原稿面からの反射光を反射する少なくとも１つのミラーを有する第１走査手段と，
前記第１走査手段からの反射光を反射する少なくとも１つのミラーを有する第２走査手段と，
前記第２走査手段からの反射光を結像する結像手段と，
前記結像手段にて結像された反射光を受光して原稿の画像情報を読み取る受光手段と，
反射光の光路中，前記第２走査手段と前記結像手段との間に位置し，前記第２走査手段からの反射光を反射する少なくとも１つの折り返しミラーとを備え，
前記受光手段は，原稿面と直交する方向への原稿投影面外に位置することを特徴とする画像読取装置。
【請求項２】
請求項１に記載する画像読取装置において，
前記受光手段は，前記第１走査手段および前記第２走査手段の走査方向に対して非直交面内に位置することを特徴とする画像読取装置。
【請求項３】
請求項１または請求項２に記載する画像読取装置において，
前記折り返しミラーは，反射光の光路を前記第１走査手段の走査方向に対して略直交方向に折り返すことを特徴とする画像読取装置。
【請求項４】
請求項１から請求項３のいずれか１つに記載する画像読取装置において，
前記受光手段は，前記第１走査手段および前記第２走査手段を収容する筺体の外側に位置することを特徴とする画像読取装置。
【請求項５】
請求項４に記載する画像読取装置において，
前記筺体には，反射光を筺体の外側に導く透光部が設けられ，その透光部にて配光を補正することを特徴とする画像読取装置。
【請求項６】
請求項５に記載する画像読取装置において，
前記透光部の形状は，両端部の開口幅が広く，中央部の開口幅が狭いことを特徴とする画像読取装置。
【請求項７】
請求項４から請求項６のいずれか１つに記載する画像読取装置において，
前記受光手段は，画像処理機能を備えた基板に支持されていることを特徴とする画像読取装置。
【発明の詳細な説明】
【技術分野】
【０００１】
本発明は，原稿の画像を読み取る画像読取装置に関する。さらに詳細には，画像読取装置本体の薄型化と，ＥＭＩ（ElectroMagnetic Interference）ノイズの低減とが図られた画像読取装置に関するものである。
【背景技術】
【０００２】
従来の画像読取装置の構成例を図１０に示す。従来の画像読取装置２００は，第１走査ユニット２１０と，第２走査ユニット２２０と，センサ部２３０と，原稿ガラス２４０と，流し撮りガラス２４１とを有している。また，第１走査ユニット２１０は，照明ランプ２１１と，その照明ランプ２１１に電力を供給するインバータ基板２１２と，第１折り返しミラー２１３とを有している。第２走査ユニット２２０は，第２折り返しミラー２２１と，第３折り返しミラー２２２とを有している。また，センサ部２３０は，レンズ部２３１と，第１走査ユニット２１０および第２走査ユニット２２０の走査方向に対して直交する面内に配置されたラインセンサ２３２と，ラインセンサ２３２を実装する基板２３３と，それらをシールドするとともに迷光を遮断する暗箱２３４とを有し，原稿面との直交方向から見た原稿投影面内に位置している。
【０００３】
この画像読取装置２００では，まず，第１走査ユニット２１０がホームポジション（Ａ）で待機する。そして，電源のオンあるいは読取信号のオンでキャリブレーションエリア（Ｂ）まで走査する。その際，シェーディングシートの読取側を照明ランプ２１１が所定の光量で照射し，その反射光が第１折り返しミラー２１３，第２折り返しミラー２２１，第３折り返しミラー２２２の順に折り返される。そして，レンズ部２３１を介してラインセンサ２３２によって読み取られる。その後，公知のシェーディング処理により出力画像の濃度調整が行われる。
【０００４】
そして，原稿台に載置された原稿の画像の読み取りの際には，第１走査ユニット２１０が原稿ガラス２４０上の原稿の先端部（Ｃ）から後端部（Ｄ）まで移動する。その際，第２走査ユニット２２０は，第１走査ユニット２１０の移動に連動して（Ｃ’）から（Ｄ’）まで移動する。これにより，両走査ユニットによる露光走査が行われ，原稿ガラス２４０上の原稿画像がラインセンサ２３２によって読み取られる。
【０００５】
上記のような構成の画像読取装置としては，例えば特許文献１に開示された画像露光装置がある。
【特許文献１】特許第２５２０６６３号公報
【発明の開示】
【発明が解決しようとする課題】
【０００６】
前記した従来の画像読取装置では，次のような問題があった。すなわち，近年，画像読取装置の薄型化の要請が高まっている。しかし，第１走査ユニット２１０にて走査を行うためには，第１折り返しミラー２１３の下端と暗箱２３４の上面との間に所定の隙間を確保しなければならない。さらに，インバータ基板２１２に実装されたトランス等もその縁面距離を確保する必要がある。従って，高さ寸法の縮小化には限界がある。
【０００７】
また，従来の画像読取装置では，センサ部２３０のサイズを小さくするため，ラインセンサ２３２を実装している基板２３３についてはＡ／Ｄ変換までしか行わない。すなわち，比較的サイズが大きい画像処理基板が画像読取装置の筺体外部に配置され，基板２３３と画像処理基板とはハーネス等によって電気的に接続される。そのため，そのハーネス部分でノイズの影響を受け，画像を悪化させてしまう。また，その配線部分がアンテナとなって電波ノイズを発することもある。これらの問題を解決するためには，ハーネス部分をシールドする板金部品やフェライトコア等の対策部品が必要となる。従って，コストアップを招く。
【０００８】
本発明は，前記した従来の画像読取装置が有する問題点を解決するためになされたものである。すなわちその課題とするところは，ＥＭＩノイズを低減するとともに装置の薄型化を図ることが可能な画像読取装置を提供することにある。
【課題を解決するための手段】
【０００９】
この課題の解決を目的としてなされた画像読取装置は，光源からの光を原稿面に照射し，その反射光を電気信号に変換して原稿の画像情報を読み取る画像読取装置であって，原稿面を照明する照明手段および原稿面からの反射光を反射する少なくとも１つのミラーを有する第１走査手段と，第１走査手段からの反射光を反射する少なくとも１つのミラーを有する第２走査手段と，第２走査手段からの反射光を結像する結像手段と，結像手段にて結像された反射光を受光して原稿の画像情報を読み取る受光手段と，反射光の光路中，第２走査手段と結像手段との間に位置し，第２走査手段からの反射光を反射する少なくとも１つの折り返しミラーとを備え，受光手段は，原稿面と直交する方向への原稿投影面外に位置することを特徴とするものである。
【００１０】
すなわち，本発明の画像読取装置では，第１走査手段および第２走査手段が走査方向に移動することによって露光走査し，受光手段が原稿面からの反射光を受光し，その反射光を電気信号に変換することによって原稿の画像が読み取られる。第１走査手段は，照明手段および少なくとも１つのミラーを有し，照明手段が原稿面を照明し，原稿面からの反射光を少なくとも１つのミラーを介して第２走査手段に導く。また，第２走査手段は，第１走査手段からの反射光を少なくとも１つのミラーを介して結像手段に導く。また，反射光の光路中，第２走査手段と結像手段との間には，第２走査手段からの反射光を第１走査手段の非走査方向に反射する折り返しミラーが設けられている。すなわち，第１走査手段，第２走査手段，および折り返しミラーによって，反射光の光路が形成される。なお，折り返しミラーは少なくとも１つあればよく，複数枚のミラーによって構成されていてもよい。
【００１１】
受光手段は，折り返しミラーからの反射光を電気信号に変換して原稿の画像情報を読み取るものであり，例えばＣＣＤラインセンサが該当する。この受光手段は，原稿面と直交する方向への原稿投影面の外側，つまり第１走査手段の走査範囲外に位置する。すなわち，本発明の画像読取装置では，折り返しミラーによって反射光が両走査手段の走査方向とは異なる方向に折り返されるため，受光手段が第１走査手段および第２走査手段の走査方向に対して非直交面内に配置される。例えば，反射光を両走査手段の走査方向に対して略直交方向に折り返す折り返しミラーを配置することにより，受光手段は原稿投影面の外側であって走査方向と略平行の面内に配置される。これにより，第１走査手段と受光手段との接触を回避することができる。よって，従来の画像読取装置と比較して高さ寸法の縮小化を図ることができる。
【００１２】
また，第１走査手段に照明手段の駆動用基板を搭載した場合，従来の画像読取装置では受光手段をシールドする暗箱との縁面距離を確保する必要があった。一方，本発明の画像読取装置では，受光手段が第１走査手段の走査範囲外に位置するため，その距離を高さ方向に確保する必要がない。よって，このような画像読取装置であっても高さ寸法の縮小化を図ることができる。
【００１３】
さらに，本発明の画像読取装置の受光手段は，第１走査手段および第２走査手段を収容する筺体の外側に位置することとするとよりよい。すなわち，筺体外のデットスペースに受光手段を配置する。これにより，受光手段を実装する基板について，その設置スペースに関する制約が緩和される。そのため，その基板にＡ／Ｄ変換機能に加えて画像処理機能を複合することができる。よって，従来の画像読取装置のように受光手段と画像処理基板との間を結合するハーネス等を設ける必要がない。従って，ＥＭＩノイズの影響を回避することができる。また，ハーネスの削減や基板の複合化によってコストダウンを図ることができる。
【００１４】
また，受光手段を筺体の外側に配する場合，画像読取装置の筺体には，折り返しミラーから導かれた反射光を筺体の外側に導く透光部が設けられ，その透光部にて配光を補正することとするとよりよい。これにより，部品点数の削減を図ることができる。配光を補正する機能を兼ねる透光部の形状としては，例えば，両端部の開口幅が広く，中央部の開口幅が狭い形状とするとよい。
【発明の効果】
【００１５】
本発明によれば，受光手段を原稿投影面外に配置することにより，受光手段と両走査手段との接触を回避することができる。そのため，高さ寸法の縮小化を図ることができる。また，受光手段を筺体の外側に配置することにより，受光手段を実装する基板に画像処理機能を複合化することができる。そのため，ハーネス等をなくすことができ，ＥＭＩノイズの低減を図ることができる。従って，ＥＭＩノイズを低減するとともに装置の薄型化を図ることが可能な画像読取装置が実現されている。
【発明を実施するための最良の形態】
【００１６】
以下，本発明を具体化した実施の形態について，添付図面を参照しつつ詳細に説明する。なお，本実施の形態は，電子写真方式の複写機に備えられた画像読取装置に本発明を適用したものである。
【００１７】
図１は，本形態に係る複写機１００の斜視図である。本形態の複写機１００は，原稿の画像を読み撮るスキャナ部１０１と，記録紙上に画像を形成する画像形成部１０２と，記録紙を供給する給紙部１０３と，画像形成後の記録紙を載置する排紙部１０４とを備えている。また，複写機１００の前面には，操作パネル等が設置されている。
【００１８】
複写機１００のスキャナ部１０１の構成例を図２および図３に示す。図２は，図１に示した複写機１００のＡ−Ａ断面を示している。また，図３は，スキャナ部１０１を上方から見た際の光路のイメージを示す図である。
【００１９】
本形態のスキャナ部１０１は，第１走査ユニット３１０と，第２走査ユニット３２０と，センサ部３３０と，原稿ガラス３４０と，流し撮りガラス３４１とを有している。また，第１走査ユニット３１０は，原稿面を照明する照明ランプ３１１と，その照明ランプ３１１に電力を供給するインバータ基板３１２と，原稿面からの反射光を第２走査ユニット３２０に向けて折り返す第１折り返しミラー３１３とを有している。第２走査ユニット３２０は，第２折り返しミラー３２１と，第３折り返しミラー３２２とを有している。また，センサ部３３０は，原稿面からの反射光を結像するレンズ部３３１と，レンズ部３３１からの光を受光するラインセンサ３３２と，ラインセンサ３３２を実装する基板３３３とを有している。
【００２０】
また，本形態のスキャナ部１０１は，反射光の光路中，第２折り返しミラー３２１とレンズ部３３１との間であって，原稿面と直交する方向から見た原稿投影面内に，第４折り返しミラー３５０を有している。第４折り返しミラー３５０は，第２走査ユニット３２０から反射光を，上面から見て第１走査ユニット３１０および第２走査ユニット３２０の走査方向に対して略直交方向に折り返すものである（図３参照）。
【００２１】
また，本形態のスキャナ部１０１では，図３に示したようにセンサ部３３０が筺体３６０の外側に位置している。すなわち，センサ部３３０は，原稿面と直交する方向から見た原稿投影面外に位置している。また，ラインセンサ３３２を実装する基板３３３は，Ａ／Ｄ変換に加え，画像処理機能を備えた基板である。なお，センサ部３３０は，カバー部材によって筺体３６０とともに被覆される（図１参照）。
【００２２】
このスキャナ部１０１では，まず，第１走査ユニット３１０がホームポジションで待機する。そして，電源のオンあるいは読取信号のオンでキャリブレーションエリアまで走査する。その際，シェーディングシートの読取側を照明ランプ３１１が所定の光量で照射し，その反射光が第１折り返しミラー３１３，第２折り返しミラー３２１，第３折り返しミラー３２２の順に折り返される。さらに，第４折り返しミラー３５０によって図２中の奥行き方向に折り返される。そして，図３に示したように筺体３６０の外側に位置するレンズ部３３１を介してラインセンサ３３２によって読み取られる。その後，公知のシェーディング処理により出力画像の濃度調整が行われる。
【００２３】
その後，原稿が移動することにより原稿画像を読み取る場合（流し撮りの場合）には，各走査ユニットが流し取り用のポジション（Ａ）で待機する。そして，原稿が流し撮りガラス３４１上を移動する際に，照明ランプ３１１が所定の光量で原稿面を照射する。そして，その反射光は，第１折り返しミラー３１３，第２折り返しミラー３２１，第３折り返しミラー３２２によって折り返される。さらに，第４折り返しミラー３５０によって第１走査ユニット３１０の非走査方向，具体的には走査方向に対して直交方向に折り返され，筺体３６０の外側に導かれる。そして，レンズ部３３１を介してラインセンサ３３２に導かれる。これにより，流し撮りガラス３４１上を流れる原稿の画像が読み取られる。
【００２４】
一方，第１走査ユニット３１０および第２走査ユニット３２０が図２中の矢印ａ方向に移動することにより原稿ガラス３４０上の原稿画像を読み取る場合（手置きの場合）には，両走査ユニットの移動によって原稿の先端部から後端部（Ｂ）まで走査する。その際，流し撮りの場合と同様に，原稿面からの反射光が各折り返しミラーおよびレンズ部３３１を介してラインセンサ３３２に導かれる。これにより，原稿ガラス３４０上に載置された原稿の画像が読み取られる。
【００２５】
図４ないし図６は，原稿ガラス３４０等を外した状態のスキャナ部１０１を示す図である。スキャナ部１０１は，第１走査ユニット３１０および第２走査ユニット３２０の駆動源と連結した駆動軸３６１と，その駆動軸３６１に固定されたプーリー３６２と，そのプーリー３６２に巻かれたワイヤー３６３，３６４とを有している。
【００２６】
また，スキャナ部１０１の筺体３６０には，第４折り返しミラー３５０からの反射光を筺体３６０の外部に導くためのスリット３６５が設けられている。すなわち，第４折り返しミラー３５０にて折り返された反射光は，スリット３６５を介して基板３３３に実装されたラインセンサ３３２へ導かれる。また，スリット３６５の高さ方向の位置は，ワイヤ３６３とワイヤ３６４とに挟まれた領域内である。そのため，反射光は，ワイヤ３６３とワイヤ３６４とに挟まれた領域内を通過する。また，スリット３６５は，レンズ部３３１に入射する光の配光を補正する機能を兼ねている。配光を補正するスリット３６５の形状としては，例えば図７に示すように，両端部の開口幅Ａが広く，中央部の開口幅Ｂが狭い形状が該当する。なお，配光を補正する形状はこの形状に限るものではない。
【００２７】
また，第４折り返しミラー３５０の背面には，図８に示すように板ばね３５１と，取付板３５２とが設けられている。さらに，第４折り返しミラー３５０は，長手方向の一方の側にて取付板３５２に設けられた貫通穴と係合している。また，他方の側にて取付板３５２と螺合した調節ねじ３５４の先端部が押し当てられている。そして，第４折り返しミラー３５０の角度を調節ねじ３５４により調節する。これにより，ラインセンサ３３２への主走査方向の位置調節を行う。
【００２８】
また，センサ部３３０は，図９に示すように，レンズ部３３１を固定する取付板３３４と，基板３３３を固定する取付板３３５とを備えている。そして，これらを一体的にレンズ部３３１の光軸方向に移動することで倍率の調整が可能である。また，取付板３３４上で取付板３３５を図９中の矢印Ｘ方向に移動することでフォーカスの調整が可能である。つまり，原稿ガラス３４０を外すことなく筺体３６０の外側で倍率，フォーカス，スキューといった光学調整を行うことができる。
【００２９】
なお，本形態のレンズ部３３１は，筺体３６０の外側に位置しているが，これに限るものではない。例えば，筺体３６０にレンズ部３３１が貫通可能な穴が設けられており，レンズ部３３１がスポンジやプラスティック等のサポート部品を介して筺体３６０の内外を跨いでいる構成であってもよい。
【００３０】
本形態のスキャナ部（画像読取手段）１０１は，従来の画像読取装置（図１０参照）と比較して次のような利点を有する。すなわち，本形態のスキャナ部１０１では，センサ部３３０が原稿面と直交する方向から見て原稿投影面外に位置するため，従来のように第１折り返しミラー２１３と暗箱２３４との距離を確保する必要がない。すなわち，第４折り返しミラー３５０との接触を避けるだけでよい。そのため，第２折り返しミラー３２１と第３折り返しミラー３２２との距離の短縮化，すなわちスキャナ部１０１の高さ寸法の縮小化を図ることができる。
【００３１】
また，本形態のスキャナ部１０１では，筺体３６０の外側にセンサ部３３０を配置している。すなわち，従来の画像読取装置ではデットスペースとなっていた領域にセンサ部３３０を配置している。そのため，従来の画像読取装置のようなスペースの制約を受けない。よって，ラインセンサ３３２を実装する基板にＡ／Ｄ変換に加えて画像処理を行う機能を複合することができる。従って，ハーネスを設ける必要がなく，ＥＭＩノイズの影響を回避することができる。また，ハーネスの削減や基板の複合化によってコストダウンを図ることができる。
【００３２】
また，原稿ガラス３４０を外すことなく筺体３６０の外側で光学調整を行うことができる。そのため，各折り返しミラーに埃等が付着することを回避することができる。そのため，光学調整をクリーンルームではなく，例えばユーザ先であってもＣＣＤの交換や光学調整を行うことができる。
【００３３】
なお，本実施の形態は単なる例示にすぎず，本発明を何ら限定するものではない。したがって本発明は当然に，その要旨を逸脱しない範囲内で種々の改良，変形が可能である。例えば，ラインセンサ３３２を実装する基板３３３は，Ａ／Ｄ変換と画像処理とを複合化したものであるが，これに限るものではない。すなわち，メカニカルコントローラ基板やコピアコントローラ基板等を複合化してもよい。
【００３４】
また，反射光の光路は実施の形態に限定するものではない。すなわち，第１走査ユニット３１０および第２走査ユニット３２０のミラー構成，および第４折り返しミラー３５０の構成は実施例に限定されない。
【００３５】
また，実施の形態では，センサ部３３０が筺体３６０の外側に位置しているが，内側であっても原稿面と直交する方向から見て原稿投影面外に位置していれば各走査ユニットとセンサ部との接触を回避することができる。よって，高さ寸法の縮小化を図ることができる。
【００３６】
また，実施の形態では，反射光の光路中，第２走査ユニット３２０とセンサ部３３０との間に位置する折り返しミラーは１つであるが，これに限定するものではない。例えば，折り返しミラーを２つ配し，２段階に折り返される光路を形成してもよい。
【００３７】
また，実施の形態では，インバータ基板３１２が第１走査ユニット３１０に搭載されているが，これに限るものではない。例えば，筺体３６０側に取り付けられていてもよい。
【図面の簡単な説明】
【００３８】
【図１】実施の形態に係る複写機を示す斜視図である。
【図２】図１に示した複写機のうち，スキャナ部のＡ−Ａ断面を示す図である。
【図３】図１に示した複写機のうち，スキャナ部の光路を示す上面視概略図である。
【図４】原稿ガラスを外したスキャナ部を左後上方向から見た斜視図である。
【図５】原稿ガラスを外したスキャナ部を右後上方向から見た斜視図である。
【図６】原稿ガラスを外したスキャナ部を左前上方向から見た斜視図である。
【図７】配光の補正機能を兼ねたスリット形状の一例を示す図である。
【図８】第４折り返しミラーの背面を示す図である。
【図９】センサ部の背面を示す図である。
【図１０】従来の形態に係る画像読取装置の断面を示す図である。
【符号の説明】
【００３９】
１００    複写機
１０１    スキャナ部（画像読取装置）
３１０    第１走査ユニット（第１走査手段）
３１１    照明ランプ（照明手段）
３１２    インバータ基板
３１３    第１折り返しミラー
３２０    第２走査ユニット（第２走査手段）
３２１    第２折り返しミラー
３２２    第３折り返しミラー
３３０    センサ部
３３１    レンズ部（結像手段）
３３２    ラインセンサ（受光手段）
３３３    基板
３５０    第４折り返しミラー（折り返しミラー）
３６０    筺体（筺体）
３６５    スリット（透光部）
【図１】
2006201275.tif 000003
【図２】
2006201275.tif 000004
【図３】
2006201275.tif 000005
【図４】
2006201275.tif 000006
【図５】
2006201275.tif 000007
【図６】
2006201275.tif 000008
【図７】
2006201275.tif 000009
【図８】
2006201275.tif 000010
【図９】
2006201275.tif 000011
【図１０】
2006201275.tif 000012